(57)【特許請求の範囲】
【請求項１】
任意のフォーマットにより表される画像信号の水平有効画素数、垂直有効ライン数、水平有効画素開始位置、および垂直有効ライン開始位置に関する入力パラメータを前記フォーマット毎に記憶する入力パターンメモリと、
表示パターン毎に、前記画像信号の有効画像から前記表示パターンに対応する領域の画像を切り出す位置およびサイズ、前記表示パターンに対応する領域の画像を表示する位置およびサイズ、を設定する表示パラメータを前記入力パラメータに対応付けて記憶する表示パターンメモリと、
前記画像信号のフォーマットに対応する入力パラメータ及び設定された表示パターンに基づいて、前記表示パターンメモリから表示パラメータを読み出し、当該読み出された表示パラメータに従って、前記画像信号の有効画像から、前記設定された表示パターンに対応する領域の画像を切り出す画像加工手段と、
前記画像加工手段により切り出された画像を表示する表示手段と、を備えたこと
を特徴とするマルチビジョン用プロジェクタ装置。
【請求項２】
前記表示パラメータが、画像の表示位置を水平および垂直方向に変位させる際の変位量を指定する水平位置オフセット、および垂直位置オフセットをさらに含み、前記水平位置オフセットおよび前記垂直位置オフセットの値を変更することにより前記表示手段における表示画像の位置を調整するよう構成したこと
を特徴とする請求項１に記載のマルチビジョン用プロジェクタ装置。
【請求項３】
アナログ画像信号が入力された場合に前記アナログ画像信号をＡ／Ｄ変換するＡ／Ｄ変換器をさらに備え、前記入力パターンメモリが前記Ａ／Ｄ変換器の設定情報に関する入力パラメータを記憶すること
を特徴とする請求項１または２に記載のマルチビジョン用プロジェクタ。
【請求項４】
前記入力パターンメモリから読み出された入力パラメータに基づいて、前記画像信号から有効画像の画像信号を書き込むとともに所定のフレームレートで出力するフレームメモリをさらに備え、
前記画像加工手段は、前記フレームメモリより出力された有効画像から、前記設定された表示パターンに対応する領域の画像を切り出すこと
を特徴とする請求項１〜３のいずれかに記載のマルチビジョン用プロジェクタ装置。
【請求項５】
前記画像信号のフォーマットを判別する画像信号判別手段と、
前記画像信号判別手段で判別されたフォーマットに対応する入力パラメータを前記入力パターンメモリから読み出し、前記読み出された入力パラメータに従って、前記有効画像の画像信号が前記フレームメモリに書き込まれるように制御するフレームメモリ制御手段と、をさらに備えること
を特徴とする請求項４に記載のマルチビジョン用プロジェクタ装置。
【請求項６】
請求項１〜５のいずれかに記載のマルチビジョン用プロジェクタ装置により構成されるマルチビジョン。
【発明の詳細な説明】
【０００１】
【発明の属する技術分野】
この発明は、マルチビジョンシステムを構成するプロジェクタ、およびマルチビジョンに関する。
【０００２】
【従来の技術】
図１１は、従来のマルチビジョンシステムの構成を示す図である。同図に示すマルチビジョンシステムは４つのモニタによって構成されている。図１１において、２０１は映像ソース、２０２はＡ／Ｄ変換器であり、Ａ／Ｄ変換器２０２は、変換された画像データを２０３の各フレームメモリ１〜４に出力する。２０３の各フレームメモリ１〜４は、入力された画像データを記憶し、所定のタイミングで出力する。ここで２０３の各フレームメモリ１〜４は、２０４のフレームメモリ制御手段１〜４の制御により、マルチモニタ２０６の各モニタが表示する領域に対応する映像データを読み出し２０５のＤ／Ａ変換器１〜４に出力する。以上の動作により、画像がマルチビジョン２０６に表示される。
【０００３】
【発明が解決しようとする課題】
図１１に示す従来のマルチビジョンシステムでは、フォーマットが異なる画像信号をマルチビジョン表示す場合、２０３のフレームメモリ制御手段１〜４において、マルチモニタ２０６の各モニタが表示する領域に対応する映像データを読み出すためのパラメータを変更する必要があるため、異なるフォーマットの画像信号によりマルチビジョン表示を行なう場合は、フレームメモリ制御手段の設定を変更する必要があった。
【０００４】
本発明は、上記の問題に鑑みてなされたもので、任意のフォーマットの画像信号によるマルチビジョン表示を容易に行なうことが可能なマルチビジョン用のプロジェクタを提供することを目的とする。
【０００５】
【課題を解決するための手段】
本発明によるマルチビジョン用プロジェクタ装置は、任意のフォーマットにより表される画像信号の水平有効画素数、垂直有効ライン数、水平有効画素開始位置、および垂直有効ライン開始位置に関する入力パラメータを前記フォーマット毎に記憶する入力パターンメモリと、表示パターン毎に、前記画像信号の有効画像から前記表示パターンに対応する領域の画像を切り出す位置およびサイズ、前記表示パターンに対応する領域の画像を表示する位置およびサイズ、を設定する表示パラメータを前記入力パラメータに対応付けて記憶する表示パターンメモリと、前記画像信号のフォーマットに対応する入力パラメータ及び設定された表示パターンに基づいて、前記表示パターンメモリから表示パラメータを読み出し、当該読み出された表示パラメータに従って、前記画像信号の有効画像から、前記設定された表示パターンに対応する領域の画像を切り出す画像加工手段と、前記画像加工手段により切り出された画像を表示する表示手段と、を備えたことを特徴とするものである。
【０００６】
また、表示パラメータが、画像の表示位置を水平および垂直方向に変位させる際の変位量を指定する水平位置オフセット、および垂直位置オフセットをさらに含み、前記水平位置オフセットおよび前記垂直位置オフセットの値を変更することにより表示手段における表示画像の位置を調整するよう構成したものである。
【０００７】
また、アナログ画像信号が入力された場合、前記アナログ画像信号をＡ／Ｄ変換するＡ／Ｄ変換器をさらに備え、入力パターンメモリが前記Ａ／Ｄ変換器の設定情報に関する入力パラメータを記憶するものである。
【０００８】
また、本発明によるマルチビジョンは、上記のマルチビジョン用プロジェクタ装置により構成されるものである。
【０００９】
【発明の実施の形態】
図１は、本発明の一実施の形態によるマルチビジョン用プロジェクタの構成を示す図である。同図において、１はプロジェクタに入力される画像信号のフォーマット判別を行なう画像信号判別手段、２はマルチビジョン表示を行なう際、各プロジェクタに表示される画像の領域を算出する表示領域算出手段である。３はＲＧＢアナログ信号、ハイビジョンＴＶ信号等をＡ／Ｄ変換するＡ／Ｄコンバータ、４はＮＴＳＣ信号、およびＰＡＬ信号をインターレース信号からノンインターレース信号にラインダブラ変換するラインダブラ回路である。５は入力される信号を切り替えて出力するセレクタ回路、６はフレームメモリ、７は画像加工手段、８は表示手段である。９はフレームメモリ６の動作を制御するフレームメモリ制御手段であり、フォーマットの異なる画像信号をフレームメモリ６に書き込むための入力パラメータが記憶される入力パターンメモリ９０を備えている。１０は画像加工手段７の動作を制御する画像加工制御手段であり、フレームメモリ７から読み出される画像信号を加工処理するための表示パラメータが記憶される表示パターンメモリ１００を備えている。１１は表示手段の動作を制御する表示制御手段であり、出力画像信号のフォーマットに関する出力パラメータが記憶される出力パターンメモリ１１０を備えている。
【００１０】
画像信号判別手段１は入力された画像信号のフォーマットを判別し、ＲＧＢアナログ信号の場合はＡ／Ｄコンバータ３に、ビデオ信号（ＮＴＳＣ信号、およびＰＡＬ信号）の場合はラインダブラ回路４に、デジタル画像信号の場合はセレクタ回路５に出力する。Ａ／Ｄコンバータ３は、入力されたＲＧＢアナログ信号をＡ／Ｄ変換してセレクタ回路５に出力する。ラインダブラ回路４は、ＮＴＳＣ信号をＡ／Ｄ変換した後、インターレス信号からノンインターレース信号にラインダブラ変換してセレクタ回路５に出力する。セレクタ回路５は、入力された画像データを切り替えてフレームメモリ６に出力する。
【００１１】
画像信号判別手段１は、入力画像信号のフォーマットを判別するとともに、入力画像信号の水平総ドット数、垂直総ライン数、水平有効画素数、垂直有効ライン数、水平有効画素開始位置、垂直有効ライン開始位置を検出し、フレームメモリ制御手段９に出力する。図２にこれらの入力パラメータを概念的に示す。これらの入力パラメータは、有効画像領域を表す信号をフレームメモリ６に書き込むための入力パラメータである。入力パターンメモリ９０は、これらの入力パラメータを図３に示すように、画像信号のフォーマット毎にメモリ番号を付して記憶する。尚、図３には示していないが、入力画像信号がアナログＲＧＢ信号の場合、入力パターンメモリ９０にはＡ／Ｄコンバータ３に対する設定情報（Ａ／Ｄコンバータのファイン調整値、クランプ情報、ＰＬＬのマスク情報等）が入力パラメータとして含まれる。また、ビデオ信号の場合は入力パターンメモリ９０にラインダブラ回路４の設定情報が入力パラメータとして含まれる。従って、ｎ種類のフォーマットの画像信号が入力された場合、ｎパターンの入力パラメータが入力パターンメモリ９０に記憶される。
【００１２】
フレームメモリ制御手段９は、入力パターンメモリ９０に記憶された入力パラメータに基づいて、有効画像領域全体（図２に示す）がフレームメモリ６に書き込まれるよう制御を行なう。フレームメモリ６は、有効画像領域の画像データを格納するとともに、所定のタイミングで出力することによりフレームレート変換を行なう。ここで、フレームメモリ６は、入力可能な最大解像度の信号を書き込むことが可能な容量を保有している。例えば、ハイビジョンＴＶ信号を入力可能な最大解像度の画像信号とした場合、１９２０×１０８０（ハイビジョンＴＶ信号の有効画素数）のメモリ領域を用意しておき、図４に概念的に示すように、フレームメモリ６の０番地（図４中左上隅）から有効画像領域の画像データを格納する。
【００１３】
表示領域算出手段２は、入力パターンメモリ９０に記憶された入力パラメータに基づいて図５に示すように、表示パターンに対応する領域の画像を切出すために必要な水平切取開始位置、垂直切取開始位置、水平切取サイズ、垂直切取サイズの各パラメータを算出し、これらの表示パラメータを画像加工制御手段１０の表示パターンメモリ１００に入力する。表示パターンメモリ１００は、図６に示すように、算出された表示パラメータを、表示水平サイズ、表示垂直サイズ、水平位置オフセット、垂直位置オフセットとともに、入力パターンメモリ９０に記憶されたメモリ番号に対応する番号を付して記憶する。ここで、表示水平サイズ、表示垂直サイズは表示パターンに従って設定される切取画像の表示サイズである。また、水平位置オフセット、垂直位置オフセットは、表示画面上の表示画像を水平、および垂直方向にシフトさせるための可変パラメータである（水平位置オフセット、垂直位置オフセットの詳細については後述する）。図６に例示するメモリ１の表示パラメータは、例えば入力パターンメモリ９０のメモリ１（図３に示す）に示すフォーマットにおける画像全体を表示するためのものであり、図６に示すメモリ２の表示パラメータは同フォーマットにおける画像の右下１／４を切出して拡大表示するためのものである。これらの表示パラメータは入力画像信号のフォーマットに対応して表示パターン毎に設けられる。画像加工手段７は、表示パターンメモリ１００に記憶されている表示パラメータに基づいて、フレームメモリ６から出力される画像信号から表示画像を切出して、拡大・縮小処理する。
【００１４】
表示手段８は、画像加工手段７から出力される画像を出力パターンメモリ１１０に記憶された出力パラメータに従って出力する。図７に出力パターンメモリ１１０に記憶される出力パラメータの一例を示す。図７に示す出力フォーマットの各出力パラメータは固定値であるが、スクリーン上に表示される画像の実際の表示開始位置は図７に示す水平有効画素表示開始位置、および垂直有効ライン表示開始位置に、図６に示す水平位置オフセット、および垂直位置オフセットをそれぞれ加算した位置となる。通常の場合、水平位置オフセット、および垂直位置オフセットは０であるが、マルチビジョンプロジェクタを構成する個々のプロジェクタ内の光学エンジンを支える機構系の水平、垂直方向のスクリーンとの相対位置のずれが発生した場合に無信号部分が表示されないように、画像の表示位置を個々のプロジェクタに設定された通常の表示位置からシフトする必要がある。水平位置オフセット、垂直位置オフセットは、図８に示すように、表示画像を通常の表示位置（図８中一点鎖線により囲まれる部分）からシフトするための可変パラメータである。図１に示すように外部から画像加工手段７に表示調整信号が入力されると、この入力に基づいて水平位置オフセット、および垂直位置オフセットの値が書き換えられる。水平位置オフセット、垂直位置オフセットが書き換えられると、図７に示す出力パラメータの水平有効画素表示開始位置、垂直有効ライン表示開始位置にこれらオフセット値が加算される。これにより、図８に示すように、画像の表示位置がシフトされ、ここのプロジェクタに無信号部分が表示されるのを防ぐことができる。
【００１５】
以下、図９に基づいて図１に示すプロジェクタの動作を説明する。画像信号が入力されると、画像信号判別手段１により画像信号の判別が行われる（Ｓｔ１）。フレームメモリ制御手段９は、この判別結果に基づいて、入力パターンメモリ９０からフレームレート変換のために必用な入力パラメータを読み出す（Ｓｔ２）。次に、設定された表示パターンに対応する表示パラメータを表示パターンメモリ１００から読み出す（Ｓｔ３）。設定された表示パターンに対応する表示パラメータが読み出されなかった場合は、表示領域算出手段２により表示パラメータを算出し、表示パターンメモリ１００に書き込む（Ｓｔ４）。一方、Ｓｔ２において、入力画像信号のフォーマットに対応する入力パラメータが読み出されなかった場合は、画像信号判別手段１により入力パラメータを検出し、入力パターンメモリ９０に書き込む（Ｓｔ５）。次に、設定された表示パターンに対応する表示パラメータを表示領域算出手段２により算出して表示パターンメモリ１００に書き込む（Ｓｔ６）。以上の動作により、表示に必要な各種のパラメータが設定され、表示動作が開始される（Ｓｔ７）。
【００１６】
以上のように、本実施の形態によるマルチビジョン用プロジェクタは、入力画像信号の水平総ドット数、垂直総ライン数、水平有効画素数、垂直有効ライン数、水平有効ライン開始位置、垂直有効画素開始位置の各入力パラメータをフォーマット毎に記憶する入力パターンメモリ９０と、所定の領域の画像を切出して画面上に表示すために必要な水平切取開始位置、垂直切取開始位置、水平切取サイズ、垂直切取サイズの各表示パラメータを入力画像信号の表示パターン毎に記憶する表示パターンメモリ１００を備えたので、任意のフォーマットの画像を、多様な表示パターンによって表示することができる。
【００１７】
また、表示に必要な各入力パラメータを入力パターンメモリ９０と、表示パターンメモリ１００とに分けて記憶しているため、記憶データの重複を防ぎ、データ量を小さくすることができる。また、図１０に示すように画面全体を写している状態から、４面拡大に切り替える場合、フレームメモリ６に有効画像データを書き込んだ後、表示パターンに対応して画像を切出すように構成し、切出し位置と表示画像のサイズを変更するので、高速な画面展開が可能である。
【００１８】
さらに、表示パターンメモリ１００に、水平位置オフセット、および垂直位置オフセットの可変パラメータを記憶するよう構成し、これらの値を書き換えることにより表示画像の位置をシフトさせるようにしたので、プロジェクタの光学エンジンのスクリーンとの相対位置が振動その他の理由にて上下左右方向にずれた場合の表示位置調整を電気的に容易に行なうことができる。
【００１９】
【発明の効果】
請求項１によるマルチビジョン用プロジェクタ装置は、入力パターンメモリから読み出される入力パラメータ、および表示パターンメモリから読み出される表示パラメータに基づいて、有効画像領域から所定の領域の画像に対応する画像信号を加工して表示するので、任意のフォーマットの画像を、多様な表示パターンによって表示することができる。
【図面の簡単な説明】
【図１】  本発明の一実施の形態によるマルチビジョン用プロジェクタ装置の構成を示す図である。
【図２】  入力パラメータを概念的に示す図である。
【図３】  入力パラメータの一例を示す図である。
【図４】  フレームメモリに読み込まれる有効画像領域を概念的に示す図である。
【図５】  表示パラメータを概念的に示す図である。
【図６】  表示パラメータの一例を示す図である。
【図７】  出力パラメータの一例を示す図である。
【図８】  水平位置オフセット、および垂直位置オフセットの作用を説明するための説明図である。
【図９】  本発明の一実施の形態によるマルチビジョン用ビデオプロジェクタ装置の動作を示すフローチャートである。
【図１０】表示パターンの一例を示す図である。
【図１１】従来のマルチビジョンシステムを示す図である。
【符号の説明】
１  画像信号判別手段、２  表示領域算出手段、３  Ａ／Ｄコンバータ、４  ラインダブラ回路、５  セレクタ回路、６  フレームメモリ、７  画像加工手段、８  表示手段、９  フレームメモリ制御手段、１０  画像加工制御手段、１１  表示制御手段、９０  入力パターンメモリ、１００  表示パターンメモリ、１１０出力パターンメモリ
【図１】
0004757389.tif 000002
【図２】
0004757389.tif 000003
【図３】
0004757389.tif 000004
【図４】
0004757389.tif 000005
【図５】
0004757389.tif 000006
【図６】
0004757389.tif 000007
【図７】
0004757389.tif 000008
【図８】
0004757389.tif 000009
【図９】
0004757389.tif 000010
【図１０】
0004757389.tif 000011
【図１１】
0004757389.tif 000012